(57)【要約】【課題】従来のストッパー部材の機能を他の部材（機構）で補うようにして、意匠性の向上やコストの低減を図ることを可能にした折れ戸を提供する。【解決手段】ガイドローラー２３を、操作手段２５の操作に応じて、戸体の框２０あるいはマリオン５の内部に収容される第１姿勢と、戸体あるいはマリオン５の下端部から下方に突出してガイドレール１３に係合し、ガイドレール１３に沿って移動可能に支持する第２姿勢と、第２姿勢よりもさらに下方に突出させ、下枠６に係止されて戸体あるいはマリオン５の移動を規制する第３姿勢となるように、上下方向Ｔ１に移動可能に設ける。【選択図】図３
2015196971.tif 000002
【特許請求の範囲】
【請求項１】
戸枠と、框及び障子からなり、前記戸枠に支持される複数の戸体とを備えるとともに、隣り合う前記戸体の縦框同士を上下方向に延びる回動軸線周りに回動自在に連結してなる折れ戸であって、
前記戸枠の上枠に長手方向に延びる吊りレールが設けられ、
前記戸枠の下枠に延設方向に延びるガイドレールが設けられ、
且つ、少なくとも一部の前記戸体、あるいは前記戸体に回動自在に連結されるマリオンには、上端部から上方に突出して前記吊りレールに係合し、前記吊りレールに沿って移動可能に支持するための吊車と、下端部から下方に突出して前記ガイドレールに係合し、前記ガイドレールに沿って移動可能に支持するためのガイドローラーとが設けられており、
前記ガイドローラーが、操作手段の操作に応じて、前記戸体の框あるいは前記マリオンの内部に収容される第１姿勢と、前記戸体あるいは前記マリオンの下端部から下方に突出して前記ガイドレールに係合し、前記ガイドレールに沿って移動可能に支持する第２姿勢と、前記第２姿勢よりもさらに下方に突出させ、前記下枠に係止されて前記戸体あるいは前記マリオンの移動を規制する第３姿勢となるように、上下方向に移動可能に設けられていることを特徴とする折れ戸。
【請求項２】
請求項１記載の折れ戸において、
前記ガイドレールに突部が設けられ、
前記第３姿勢の前記ガイドローラーが前記突部に当接し、前記戸体あるいは前記マリオンの移動を規制するように構成されていることを特徴とする折れ戸。
【発明の詳細な説明】
【技術分野】
【０００１】
本発明は、折れ戸に関する。
【背景技術】
【０００２】
建物の開口部を大きく開いて開放感を得ることができ、建物の快適性、利便性を高めることができるため、例えば住宅のリビングなどに折れ戸を設置するケースが増えている。
【０００３】
従来、折れ戸は、アルミ型材を用いて形成され、建物の開口部の周縁に設置される上枠、下枠、一対の縦枠からなる戸枠と、アルミ型材を用いて形成された上框（上桟）、下框（下桟）、一対の縦框（縦桟）からなる方形枠状の框にガラスパネルなどの障子を保持させてなる複数の戸体とを備えて構成されている（例えば、特許文献１、特許文献２参照）。
【０００４】
また、戸枠の下枠には、下方に凹み、下枠の長手方向、すなわち折れ戸の幅方向に沿って一端部から他端部まで延びるガイドレール（ガイドレール）が形成され、上枠には、上枠の長手方向に沿って一端部から他端部まで延びる吊りレールが形成されている。
【０００５】
一方、複数の戸体１は、図４に示すように、隣り合う戸体１の縦框３、４同士が上下方向Ｔ１に延びる回動軸線Ｏ１周りに回動自在に連結されている。また、このとき、折れ戸Ａ（複数の戸体１）を折り畳んで開いた際に建物の開口部よりも外側に配される連結部Ｓ１には、アルミ型材の連結框２が設けられ、連結框２にそれぞれ回動自在に連結することにより、この部分の隣り合う戸体１の一方の縦框３同士が回動自在に連結されている。
【０００６】
さらに、戸先側などの戸体１の他方の縦框４には、アルミ型材のマリオン５が連結框２と同様に回動自在に連結されている。また、折れ戸Ａを折り畳んだ際に建物の開口部上に配されるマリオン５には、下端部から下方に突設されるとともに下枠６のガイドレールに係合し、ガイドレールに案内されて移動するガイドローラーや、上端部から上方に突設されるとともに上枠の吊りレールに係合し、戸体１を吊り下げ支持しつつ吊りレールに案内されて移動する吊車が設けられている。また、吊車は、上下方向Ｔ１に延びる回転軸周りに回転自在に戸体１に取り付けられている。
【０００７】
これにより、折れ戸Ａを折り畳んだ際に建物の開口部上に配される戸体１の縦框４及びマリオン５がそれぞれ、吊りレール及びガイドレールに案内されて戸枠７の上枠や下枠６の長手方向Ｔ２に沿ってスライド移動し、折れ戸Ａを開閉することができる。
【０００８】
また、折れ戸Ａの戸尻側の戸体１の縦框４あるいはマリオン５には、その上端部から上方に突設されるとともに上枠の吊りレールに、上下方向Ｔ１の回動軸線周りに回動自在に係合してピボット（旋回軸）が設けられている。
【０００９】
さらに、折れ戸Ａの戸体１の縦框４あるいはマリオン５には、操作レバーの操作によって、下端部から下方に出没可能にストッパー部材が設けられ、このストッパー部材が下枠６に係合することにより、戸体１やマリオン５を固定し、折れ戸Ａを閉じた状態で保持することができる。
【先行技術文献】
【特許文献】
【００１０】
【特許文献１】特開平１１−３０３４９４号公報
【特許文献２】特開２００６−１８８９０９号公報
【発明の概要】
【発明が解決しようとする課題】
【００１１】
しかしながら、上記従来の折れ戸においては、戸体を固定して折れ戸を閉じた状態で保持するストッパー部材が個別に設けられている。このため、このストッパー部材の機能を他の部材（機構）で補うようにして、意匠性の向上やコストの低減を図ることが強く望まれていた。
【００１２】
本発明は、上記事情に鑑み、従来のストッパー部材の機能を他の部材（機構）で補うようにして、意匠性の向上やコストの低減を図ることを可能にした折れ戸を提供することを目的とする。
【課題を解決するための手段】
【００１３】
上記の目的を達するために、この発明は以下の手段を提供している。
【００１４】
本発明の折れ戸は、戸枠と、框及び障子からなり、前記戸枠に支持される複数の戸体とを備えるとともに、隣り合う前記戸体の縦框同士を上下方向に延びる回動軸線周りに回動自在に連結してなる折れ戸であって、前記戸枠の上枠に長手方向に延びる吊りレールが設けられ、前記戸枠の下枠に延設方向に延びるガイドレールが設けられ、且つ、少なくとも一部の前記戸体、あるいは前記戸体に回動自在に連結されるマリオンには、上端部から上方に突出して前記吊りレールに係合し、前記吊りレールに沿って移動可能に支持するための吊車と、下端部から下方に突出して前記ガイドレールに係合し、前記ガイドレールに沿って移動可能に支持するためのガイドローラーとが設けられており、前記ガイドローラーが、操作手段の操作に応じて、前記戸体の框あるいは前記マリオンの内部に収容される第１姿勢と、前記戸体あるいは前記マリオンの下端部から下方に突出して前記ガイドレールに係合し、前記ガイドレールに沿って移動可能に支持する第２姿勢と、前記第２姿勢よりもさらに下方に突出させ、前記下枠に係止されて前記戸体あるいは前記マリオンの移動を規制する第３姿勢となるように、上下方向に移動可能に設けられていることを特徴とする。
【００１５】
また、本発明の折れ戸においては、前記ガイドレールに突部が設けられ、前記第３姿勢の前記ガイドローラーが前記突部に当接し、前記戸体あるいは前記マリオンの移動を規制するように構成されていることが望ましい。
【発明の効果】
【００１６】
本発明の折れ戸においては、操作手段の操作レバーなどを操作することによって、ガイドローラーが上下方向に移動可能に設けられ、戸体の框やマリオンの内部に収容させる第１姿勢と、戸体をガイドレールに沿って移動可能に支持する第２姿勢と、第２姿勢よりもさらに下方に突出させ、下枠に係止されて戸体の移動を規制する第３姿勢とに自在にその位置を変えることができる。
【００１７】
これにより、ガイドローラーを第１姿勢にすることで、戸体を吊り込んで建物の開口部の所定位置に戸体を設置する作業、ひいては折れ戸の組立て作業を容易に行うことができ、施工性を向上させることができる。
また、ガイドローラーを第２姿勢にすることで、戸体をガイドレールに沿って移動可能に支持することができ、通常の折れ戸と同様に円滑に開閉することが可能になる。
さらに、ガイドローラーを第３姿勢にすることで、ガイドローラーを下枠に係止させることができ、折れ戸を閉じた状態や開いた状態で保持することが可能になる。
【００１８】
よって、本発明の折れ戸においては、従来のようにストッパー部材が個別に設けて折れ戸を閉じた状態や開いた状態で保持するのではなく、ガイドローラーを上下方向に移動可能に構成することで、ガイドローラーにストッパー部材の機能を付与することができ、利便性の向上を図ることが可能になる。そして、別途ストッパー部材を設ける必要がないため、意匠性の向上、コストの低減を図ることが可能になる。
【００１９】
また、本発明の折れ戸においては、下枠のガイドレールに突部を設け、第３姿勢のガイドローラーがこの突部に当接して戸体あるいはマリオンの移動を規制できるようにすることで、簡易な構成で、確実且つ容易にガイドローラーにストッパー部材の機能を付与することが可能になる。
【図面の簡単な説明】
【００２０】
【図１】本発明の一実施形態に係る折れ戸を示す斜視図であり、折れ戸を閉じた状態を示す図である。
【図２】本発明の一実施形態に係る折れ戸を示す斜視図であり、折れ戸を開いた状態（折り畳んだ状態）を示す図である。
【図３】本発明の一実施形態に係る折れ戸のガイドローラーを示す図であり、（ａ）が第１姿勢、（ｂ）が第２姿勢、（ｃ）が第３姿勢にした状態を示す縦断面図である。
【図４】従来の折れ戸の隣り合う戸体の連結部を拡大した横断面図である。
【発明を実施するための形態】
【００２１】
以下、図１から図４を参照し、本発明の一実施形態に係る折れ戸について説明する。
【００２２】
はじめに、本実施形態の折れ戸Ａは、例えば図１及び図２に示すように、建物の開口部の内周に設置される戸枠７と、戸枠７に開閉可能に支持される複数の戸体１と、連結框２と、マリオン５とを備えて構成されている。
【００２３】
戸枠７は、アルミ型材を用いて形成された上枠８、下枠６、一対の縦枠１０、１１を組み付けて方形枠状の形成されている。
【００２４】
また、上枠８は、一端部から他端部まで長手方向（折れ戸の幅方向）Ｔ２に延びる吊りレール１２を備えて形成されている。下枠６は、一端部から他端部まで長手方向Ｔ２に延びるガイドレール（ガイド溝）１３を備えて形成されている。
【００２５】
複数の戸体１はそれぞれ、アルミ型材を用いて形成された上框（上桟）１５、下框（下桟）１６、一対の縦框（縦桟）３、４からなる方形枠状の框２０にガラスパネル（障子）２１を保持させて構成されている。また、これら戸体１は、隣り合う戸体１同士が上下方向Ｔ１に延びる回動軸線周りに回動自在に連結されている。
【００２６】
さらに、一部の戸体１あるいは戸体１の縦框４に上下方向Ｔ１に延びる回動軸線周りに回動自在に連結されたマリオン５には、上端部から上方に吊車２２が突設されており、この吊車２２を上枠８の吊りレール１２に係合させることで、戸体１やマリオン５が吊り下げ支持されて戸枠７内に配設されている。また、吊車２２は上下方向Ｔ１に延びる回動軸線周りに回動自在に縦框４あるいはマリオン５に取り付けられており、この吊車２２が吊りレール１２で案内されて走行することにより、戸体１やマリオン５を円滑にスライド移動させることができる。
【００２７】
さらに、一部の戸体１あるいはマリオン５には、図１から図３に示すように、下端部から下方に突設してガイドローラー２３が設けられており、このガイドローラー２３を下枠６のガイドレール１３に挿入して係合させることで下端部側が支持されて、戸体１が戸枠７内に配設されている。また、ガイドローラー２３が下枠６のガイドレール１３に案内されて移動することにより、戸体１を円滑にスライド移動させることができる。
【００２８】
また、縦枠１０、１１に隣接して配設される戸体１の縦框３には、上端部から上方に突出するピボット（旋回軸）２４が設けられ、このピボット２４が上枠８に軸支されている。
【００２９】
一方、本実施形態の折れ戸Ａにおいては、図３に示すように、操作手段の操作レバー２５などの操作に応じて、ガイドローラー２３が、戸体１の框２０あるいはマリオン５の内部に収容される第１姿勢（図３（ａ））と、戸体１あるいはマリオン５の下端部から下方に突出してガイドレール１３に係合し、戸体１あるいはマリオン５をガイドレール１３に沿って移動可能に支持する第２姿勢（図３（ｂ））と、第２姿勢よりもさらに下方に突出させ、下枠６に係止されて戸体１あるいはマリオン５の移動を規制する第３姿勢（図３（ｃ））となるように、上下方向Ｔ１に移動可能に設けられている。
【００３０】
すなわち、操作手段の操作によってガイドローラー２３を第１姿勢と第２姿勢と第３姿勢の位置に段階的に且つ自在に調整できるように構成されている。
【００３１】
さらに、本実施形態では、下枠６のガイドレール１３の所定位置に上方に突出する突部２６が設けられている。そして、第３姿勢のガイドローラー２３がこの突部２６に当接することで、戸体１あるいはマリオン５の移動を規制するように構成されている。
【００３２】
そして、上記構成からなる本実施形態の折れ戸Ａにおいては、操作レバー２５を操作することによって、ガイドローラー２３が上下方向Ｔ１に移動し、戸体１の框２０やマリオン５の内部に収容させる第１姿勢と、戸体１やマリオン５をガイドレール１３に沿って移動可能に支持する第２姿勢と、第２姿勢よりもさらに下方に突出させ、下枠６の突部２６に係止されて戸体１やマリオン５の移動を規制する第３姿勢とに自在にその位置が変わる。
【００３３】
このため、まず、戸体１やマリオン５を吊り込んで建物の開口部の所定位置に設置する際には、図３（ａ）に示すようにガイドローラー２３を第１姿勢にしておくと、ガイドローラー２３が予め突設されている場合と比較し、戸体１やマリオン５の設置作業、ひいては折れ戸Ａの組立て作業が容易に行える。
【００３４】
また、戸体１やマリオン５を吊り込んで建物の開口部の所定位置に設置し、折れ戸Ａを形成した後、図３（ｂ）に示すようにガイドローラー２３を第２姿勢にすれば、戸体１やマリオン５がガイドレール１３に沿って移動可能に支持される。これにより、折れ戸Ａの開閉操作が円滑に行える。
【００３５】
さらに、図３（ｃ）に示すように折れ戸Ａを閉じた状態（あるいは開いた状態）でガイドローラー２３を第３姿勢にすれば、ガイドローラー２３が下枠６の突部２６に係止され、折れ戸Ａがその状態で保持される。
【００３６】
したがって、本実施形態の折れ戸Ａにおいては、例えば操作レバー２５を操作することによって、ガイドローラー２３の位置を、戸体１の框２０やマリオン５の内部に収容させる第１姿勢と、戸体１やマリオン５をガイドレール１３に沿って移動可能に支持する第２姿勢と、第２姿勢よりもさらに下方に突出させ、下枠６に係止されて戸体１やマリオン５の移動を規制する第３姿勢とに自在に変えることができる。
【００３７】
これにより、戸体１やマリオン５を吊り込んで建物の開口部の所定位置を設置する際にガイドローラー２３を第１姿勢にすることで、戸体１やマリオン５の設置作業、ひいては折れ戸Ａの組立て作業を容易に行うことができ、施工性を向上させることができる。
また、ガイドローラー２３を第２姿勢にすることで、戸体１やマリオン５をガイドレール１３に沿って移動可能に支持することができ、通常の折れ戸と同様に円滑に開閉することが可能になる。
さらに、ガイドローラー２３を第３姿勢にすることで、ガイドローラー２３を下枠６に係止することができ、折れ戸Ａを閉じた状態や開いた状態で保持することが可能になる。
【００３８】
よって、本実施形態の折れ戸Ａにおいては、従来のようにストッパー部材が個別に設けて折れ戸を閉じた状態や開いた状態で保持するのではなく、ガイドローラー２３を上下方向Ｔ１に移動可能に構成することで、ガイドローラー２３にストッパー部材の機能を付与することができ、利便性の向上を図ることが可能になる。また、ストッパー部材が不要になることで、意匠性の向上、コストの低減を図ることが可能になる。
【００３９】
また、本実施形態の折れ戸Ａにおいては、下枠６のガイドレール１３に突部２６を設け、第３姿勢のガイドローラー２３がこの突部２６に当接して戸体１やマリオン５の移動を規制できるようにすることで、簡易な構成で、確実且つ容易にガイドローラー２３にストッパー部材の機能を付与することが可能になる。
【００４０】
以上、本発明に係る折れ戸の一実施形態について説明したが、本発明は上記の一実施形態に限定されるものではなく、その趣旨を逸脱しない範囲で適宜変更可能である。
【００４１】
例えば、本実施形態では、連結框２を備えて折れ戸Ａが構成されているものとしたが、隣り合う戸体１の縦框３、４同士を直接連結するように構成してもよい。また、マリオン５をなくし、戸体１にガイドローラー２３、吊車２２を設けて構成するようにしてもよい。さらに、戸体１の数を本実施形態のように限定する必要もない。
【符号の説明】
【００４２】
１      戸体
２      連結框
３      縦框
４      縦框
５      マリオン
６      下枠
７      戸枠
８      上枠
１０    縦枠
１１    縦枠
１２    吊りレール
１３    ガイドレール
１５    上框
１６    下框
２０    框
２１    ガラスパネル（障子）
２２    吊車
２３    ガイドローラー
２４    ピボット
２５    操作手段（操作レバー）
２６    突部
Ａ      折れ戸
Ｓ１    隣り合う戸体の連結部
Ｔ１    上下方向
Ｔ２    長手方向（折れ戸の幅方向）
【図１】
2015196971.tif 000003
【図２】
2015196971.tif 000004
【図３】
2015196971.tif 000005
【図４】
2015196971.tif 000006